(57)【要約】【課題】極めて簡単な構造でありながら外観上興味深い動きをなす、玩具のみならず、室内装飾としても可能な構成を有する回転旋回上昇玩具を得る。【解決手段】密閉された非磁性体よりなる中空管内部に液体を満たすと共に、マグネットを有するフロートを液体内に封入した玩具本体と、前記フロートマグネットと互いに吸引しあうマグネットを有し、該中空管の表面に接する回転ディスプレイとよりなり、回転ディスプレイのマグネットは、中空管と接する面を弧面としている。【選択図】図１
0003126675.tif 000002
【実用新案登録請求の範囲】
【請求項１】
密閉された非磁性体よりなる中空管内部に液体を満たすと共に、マグネットを有するフロートを前記液体内に封入した玩具本体と、前記フロートのマグネットと互いに吸引しあうマグネットを有し、前記中空管表面に接する回転ディスプレイとよりなり、回転ディスプレイのマグネットは、前記中空管との接する面が突出した弧面となるよう形成されていることを特徴とする回転旋回上昇玩具。
【請求項２】
回転ディスプレイに設けたマグネットの突出した弧面の反対側に位置して、装飾片を設けてなる請求項１記載の回転旋回上昇玩具。
【請求項３】
中空管の表面に接する回転ディスプレイのマグネットの回転軸が、中空管の表面と回転ディスプレイのマグネットとの接点より上方に位置するよう、回転ディスプレイの重量と、回転ディスプレイのマグネットの弧面形状が設定されていることを特徴とする請求項１または請求項２記載の回転旋回上昇玩具。
【考案の詳細な説明】
【技術分野】
【０００１】
本考案は、棒状に形成された玩具本体を立てた際、玩具本体周縁に磁力によって付着している回転装飾体が、回転しつつ棒状の玩具本体の周囲を螺旋状に旋廻上昇する玩具に関する。
【背景技術】
【０００２】
従来、磁石の吸引力或は反発力を用いて可動体を移行させる玩具は多数提案されており、その中でも、動物、或は昆虫などが木登りの如く棒状体の側面を上昇するものが知られている。
【０００３】
その一つが、動物等の形をした玩具本体が、垂直の棒本体の外側面を摺って上方に移動するもので、その構成は次の如くである。液体が満たされ両端開口部は閉塞されている筒状の棒体本内に浮子を入れ、浮子の側面には磁石を固着する。一方、玩具本体は、適宜動物等の形をなし、前記浮子の磁石とは互いに異極が対向するようにして磁石を設けている。そして、前記浮子の磁石と玩具本体の磁石とが互いに吸引されている状態のもとで、浮子を棒本体の最下位に位置させて棒本体を立てると、浮子は棒本体の管内を浮上し、それにつれて浮子と吸引しあっている玩具本体も上昇を開始し、棒本体の頂部に至り停止する。このとき、棒本体を反転し浮子を最下位に位置させると、再度上昇を開始し、これを繰り返し行うことが出来る（特許文献１参照）。この玩具にあっては、棒状体の側面を直線状に常に頭部を上に保って上昇することになる。
【０００４】
第二の例として次の玩具がある。筒状の棒本体内に液体を満たし、磁石を有する浮子を封入した棒本体と、前記浮子の磁石と互いに吸引する磁石を、側面に有する玩具本体とよりなる玩具である点では前記第一の例と同一で、棒本体の側面を、浮子の上昇に従って玩具本体が上昇するが、この例にあっては、浮子の磁石の両端に発泡体を取り付けることによって、棒本体内における浮子の上昇端における衝撃を少なくしている（特許文献２参照）。第三の例として次の玩具がある。この例は、非磁性体よりなる筒状体内に、昇降軸により昇降自在に管内磁石を支持し、前記筒状体外周縁には、管外吸着体としての磁石を有する装飾体（飾板）を前記筒内磁石に吸引させて支持している。そして昇降軸を筒状体内で昇降させることで、管内磁石を上下動し、管内磁石と吸引し合う装飾体の磁石を介して装飾体を上下動する。管内磁石は前記した如く手動によって上下動，旋回動をするものであり、装飾体の磁石は、一つの極面を球面状とし、該面が筒状体外周と接しているために、装飾体の中心線は、下向きを保ち、管内磁石に吸引され、引き上げられると、前記中心線を中心に回転しつつ上昇する（特許文献３参照）ものであって、本願玩具のような回転マグネットの回転・螺旋移動による管内の浮子の軸回転を起こす点には特許文献３は言及されていない。
【０００５】
上記第１、第２の各玩具において、棒状体の側面に接し、浮子の上昇に伴って上昇する動物等を画いた玩具主体は、それが持っている磁石を棒状体に接触させているが、磁石の接触面は平面であり、棒状体は筒状のため、両者の接点は、直線となり、玩具主体が浮子の上昇に引かれて上昇する際の玩具主体と棒状体との接点の軌跡も直線となる。そのために、浮子が棒体内を浮上し、それにつれて玩具本体が上昇する際も、玩具本体は直線状に上昇することになる。第３の例にあっては、装飾体を移動させるためには、筒状体内の昇降軸を回転昇降させる操作が必要であり、また、装置全体の構成上からも、審美上からも、筒状体から突出した昇降軸の存在は、好ましいものではない。
【特許文献１】実公昭４６−３０２２３号公報
【特許文献２】実公昭５０−３３２８０号公報
【特許文献３】特公昭５３−３６４０号公報
【考案の開示】
【考案が解決しようとする課題】
【０００６】
本考案は、簡単な構造でありながら、外観上きわめて興味深い動きをする、玩具のみならず、室内装飾としても可能な構成を有する、回転旋回上昇玩具を得ることを目的とする。
【課題を解決するための手段】
【０００７】
密閉された非磁性体よりなる中空管内部に液体を満たすと共に、マグネットを有するフロートを前記液体内に封入した中空管と、前記フロートのマグネットと互いに吸引しあうマグネットを有し、前記中空管表面に接する回転ディスプレイとよりなり、回転ディスプレイのマグネットは、前記中空管との接する面を突出した弧面となしたことを特徴としている。請求項２の考案は、請求項１記載の回転旋回上昇玩具において、回転ディスプレイに設けたマグネットの突出した弧面の反対側に位置して、装飾片を設けてなる。請求項３記載の考案は、請求項１または請求項２記載の回転旋回上昇玩具において、中空管の表面に接する回転ディスプレイのマグネットの回転軸が、中空管の表面と回転ディスプレイのマグネットの接点より上方に位置するよう、回転ディスプレイの重量と、回転ディスプレイのマグネットの弧面形状が設定されている。これにより、回転ディスプレイのスムーズな螺旋状の上昇運動が得られる。
【考案の効果】
【０００８】
本考案のマグネットによる回転旋回上昇玩具では、使用するマグネットは、最低計２個で十分であり、液体を充填した棒状に形成される玩具本体は、透明な素材を使用することにより、棒状の玩具本体の内部を上昇移動するマグネットを有するフロートをも同時に鑑賞することもでき、危険性がなく、幼児の使用にも適した玩具である。
本考案玩具は、棒状体とそれに吸着する回転ディスプレイよりなる簡単な構造でありながら、回転ディスプレイが外観上極めて興味深い動きをすると共に、その動きの原因となる棒状体内部の機構について棒状の玩具本体を不透明とすることで、その機構を外部より窺知することを出来なくすることによって回転ディスプレイの動きの原因について探究心を生じさせるというような心理上の効果も発揮させることが出来る。
使用方法も、棒状に形成される玩具本体を上下反対にするのみで、回転ディスプレーのスムーズな螺旋状の上昇運動を何回でも極めて簡単に楽しめる。また、砂時計の如き利用も可能である。
【考案を実施するための最良の形態】
【０００９】
本考案を実施するための最良の形態を図面によって説明する。尚、本願玩具の部材にあっては、マグネット部分を除き非磁性体とし、図面の記載は、この考案を限定するものではない。
玩具本体１は、図１に示すように、非磁性体による中空管４の両端に、嵌合栓２，３を嵌合し、中空体管４の内部に水等の液体５を充填し、液体５中には、フロート６を挿入してなるものである。該フロート６は、マグネット７を内包し、浮力を有するスチロール等の発泡性樹脂８よりなる。マグネット７は、図２、図３に示すように、フロート６の表面にマグネット７が現出するように埋設される。このフロート６は、玩具本体１の上下を反転させることによって、浮力により中空管４の内面にマグネット７が接し或は接近する状態で中空管４内部の液体５中を上昇する。
【００１０】
図４、図５に、回転ディスプレー９を示す。回転ディスプレー９は、マグネット１０を装飾片１１に一体に設けてなるもので、マグネット１０は、中央部が周縁部より厚味を有する円形をなし、その一面に装飾片１１が固定されているが、装飾片１１は、例えばキャラクターの顔、或は姿態、或は適宜図柄を画いた板状体等適宜である。回転ディスプレー９のマグネット１０は、フロート６の表面のマグネット７とは反対の磁力を有しており、フロート６のマグネット７に回転ディスプレー９のマグネット１０を接近すると、フロート６の有するマグネット７の磁力とマグネット１０の相互作用により、回転ディスプレー９は、中空体管状体４の表面に吸着する。
【００１１】
そして、玩具本体１が水平方向に延びる状態のときは、フロート６は、静止状態を保つが、嵌合栓２又は３のどちらかが上になるように玩具本体１を立てると、フロート６は中空管４内の上昇を開始し、その動きにつれてフロート６のマグネット７が吸引している回転ディスプレイ９のマグネット１０が、フロート６に内包されるマグネット７の浮力による上昇する動きに伴い、その磁力に引かれて玩具本体１の表面を回転ディスプレイ９は移動する。回転ディスプレイ９は、回転をしつつ玩具本体１の中空管４の周囲を螺旋状を画いて上昇するが、以下、この状態を図６と共に説明する。
【００１２】
本考案は、玩具本体１の表面に接する回転ディスプレイ９のマグネット１０の形状に特徴を有する。マグネット１０は、玩具本体１の表面と接する面が凸状（Ｒ状）であるため、フロート６の内包するマグネット７の磁力により玩具本体１の表面に接点１４で吸着し、フロート６の上昇に伴って共に上昇するが、この場合、回転ディスプレイ９のマグネット１０は、は、中空管４の表面との抵抗により、中空管４の表面を螺旋状の軌跡を画いて螺旋状に回転（自転）しながら上昇する。
【００１３】
図７は、回転ディスプレイ９をその回転軸１３方向から見た正面図であり、回転ディスプレイ９は中心点１２を有する。回転ディスプレイ９が回転・上昇するとき、回転ディスプレイ９は重力を有するので、回転ディスプレイ９は回転ディスプレイ９の中心点１２を通る回転軸１３から僅かに傾斜し、回転軸１３下部に位置する接点１４で中空管４の表面に接し、フロート６の上昇に伴ってフロート６の内包するマグネット７の磁力に引かれて螺旋状の軌道を描きながらフロート６共に上昇する。回転マグネット９の形状は、マグネットの密度、中空体内の液体密度、フロートの磁力等を勘案して、定めることが出来る。また、マグネットは、大きさ、磁力の組み合わせ等適宜選択できるが、材質上もどちらか一方がマグネットであれば、他方が例えば鉄のような磁性体でも、互いに引き合うので実施可能である。その場合に、磁力により吸着力を調整し、重量も調整することになる。
【実施例】
【００１４】
本考案の、回転旋回上昇玩具の製作の一例を述べるが、この寸法、構造の詳細は本考案を限定するものではない。
先ず、中空管として外径１８ｃｍ、内径１３ｃｍ、全長５００ｍｍのアクリル樹脂よりなる中空管を用意する。フロートとして、直径１０ｍｍ、長さ７０ｍｍの発泡性樹脂に直径１０ｍｍ、厚さ５ｍｍの等方性フェライト磁石（６２ミリステラ、ｍＴ）を用意した。
回転マグネット用磁石としては、直径５．２ｍｍの円形外周を有し、厚み２．５ｍｍの両面に弧面をゆする等方性フェライト磁石（６０ミリステラ、ｍＴ）を用いた。フロートと、マグネットとの構成は、図4、５を参照されたい。このようにして構成した回転旋回上昇玩具は、図６に示すように、マグネット１０を有する回転ディスプレイが玩具本体表面を、フロート７と共に螺旋状に旋回しながら上昇した。
【産業上の利用可能性】
【００１５】
本考案の磁石による回転旋回上昇玩具では、極めて構造が簡単で製造が容易であるにもかかわらず、棒状に形成される玩具本体を、上下反対にするのみで回転ディスプレーのスムーズな螺旋状の上昇運動を何回でも楽しむことが出来、装飾性をもかねているので、玩具としてばかりでなく、装飾品、砂時計的使用、広告媒体等に使用することが出来る。
【図面の簡単な説明】
【００１６】
【図１】玩具本体を示す縦断正面図である。
【図２】フロートを示す正面図である。
【図３】フロートを示す側面図である。
【図４】回転ディスプレイを示す正面図である。
【図５】回転ディスプレイを示す縦断側面図である。
【図６】回転ディスプレイが螺旋状に下方から回転しながら上昇する様を示す説明図である。
【図７】ディスプレイの回転マグネットをその回転軸方向から見た正面図である。
【図８】回転ディスプレイのマグネットが玩具本体表面に吸引されている状態を示す側面図である。
【符号の説明】
【００１７】
１  玩具本体
２，３  嵌合栓
４  中空管
５  液体
６  フロート
７  マグネット
８  発泡性樹脂
９  回転ディスプレイ
１０  マグネット
１１  装飾片
１２  重心点
１３  回転軸
１４  接点
【図１】
0003126675.tif 000003
【図２】
0003126675.tif 000004
【図３】
0003126675.tif 000005
【図４】
0003126675.tif 000006
【図５】
0003126675.tif 000007
【図６】
0003126675.tif 000008
【図７】
0003126675.tif 000009
【図８】
0003126675.tif 000010